(57)【特許請求の範囲】
【請求項１】
窓枠（または門枠）母材及びレール蓋に固定部を各々形成して前記レール蓋を前記窓枠（または門枠）母材に付着し、前記レール蓋によって隠蔽されるレールを前記窓枠（または門枠）母材の上部に形成される陥没部の入口内側に形成し、表面材及び前記レール蓋の入口隣接位置に弾力的なガスケットを設置し前記陥没部の入口を選択的に開閉する窓枠（または門枠）下部材と、その下部に支持部を造成して下部を補強し、前記下部が一側に延長されて形成される延長部にローラー溝が形成されるローラー支持材を一体に装着し、前記ローラー溝にローラー装置を設置することによって、前記ローラー支持材が前記窓枠（または門枠）下部材の前記陥没部の入口を通じて挿入される場合、前記ローラー装置が前記レールに滑走可能に結合される窓（または門）下部材とを含み、
前記ローラー支持材の前記ローラー溝に切断部を形成して前記切断部に蓋支えローラーを装着し、前記切断部以外の部分には前記ローラー装置を装着したレール隠蔽形窓戸装置。
むレール隠蔽形窓戸装置。
【請求項２】
前記ローラー支持材に組立孔を各々形成し、固定ピンでローラー支持材の組立孔とローラー装置及び蓋支えローラー装置に各々形成された組立孔を貫通して固定クリップで固定することによって、前記ローラー装置及び蓋支えローラー装置が前記ローラー支持材に一体に装着される、請求項１に記載のレール隠蔽形窓戸装置。
【請求項３】
前記レール蓋にネジ支持材を設けてネジによって前記レール蓋を前記窓枠母材に固定し、露出されたネジ溝をネジ溝栓で仕上げる、請求項１に記載のレール隠蔽形窓戸装置。
【請求項４】
前記窓（または門）下部材の下部及び支持部と前記レール蓋の入口に防風部材を各々設置したことを特徴とする、請求項１に記載のレール隠蔽形窓戸装置。
【請求項５】
前記窓枠（または門枠）母材の表面材に固定窓（または固定門）溝を形成して固定窓（または固定門）を設置し、固定部材で仕上げた、請求項１に記載のレール隠蔽形窓戸装置。
【請求項６】
前記窓枠（または門枠）母材の前記表面材に防虫窓レールを設けて防虫窓が設置可能な、請求項１又は請求項５に記載のレール隠蔽形窓戸装置。
【発明の詳細な説明】
【０００１】
【発明の属する技術分野】
本発明は窓戸に関し、さらに詳しくはレール蓋によってレールを隠蔽し、また、ガスケットと防風部材によって雨水が窓枠に流入されることを防止することができる窓戸に関する。
【０００２】
【従来の技術】
従来のレール隠蔽形窓戸装置について添付した図面を参照して説明する。
図１は、従来の技術が適用された窓戸を示した正面図であって、その構造を説明するために矢印“Ａ-Ａ”線による断面図を図２で示す。
【０００３】
示されているように、レール隠蔽形窓戸装置は、外向斜線１１上にレール１２と窓枠表面材１３とを配列し、レール１２が表面材１３を兼ねる雨水遮断蓋１４に遮られて隠蔽され、蓋１４を支持材１５とネジ１６とによって母材１７に付着し、窓側部材案内用入口１９を設けた窓枠下部材１と、窓下部材２の下部２４から延長させた延長部２３に設けられた支持材２１を入口１９内側レール１２に近接させてローラー２２を配列設置した窓下部材２を含む。
【０００４】
【発明が解決しようとする課題】
しかし、上記のレール隠蔽形窓戸装置は、構造的に雨水の室内浸透を防止することはできるが、気密性が維持できないため、室内の熱效率が減少するという問題点がある。
【０００５】
また、雨水がレールに浸透されるため、ローラーが雨水によって損傷され腐蝕が発生するなどの問題点がある。
【０００６】
そして、蓋の固定及び支え方式が不適当であって弱いため、衝撃によって蓋が曲がり窓下部材の延長部またはローラーと摩擦されて窓の開閉を妨害することがあり、窓下部材の下部とローラーの支持方式は効率的な窓の支持が不可能である。
【０００７】
したがって、本発明の目的は上述した問題点を解決するために案出されたものであって、本発明は、雨水の浸透を根本的に防止し、気密性を維持して熱損失を最少化し、さらに、蓋の固定及び支え方式と窓の支持方式を改善して窓の安定した開閉を構成するレール隠蔽形窓戸装置を提供することにある。
【０００８】
【課題を解決するための手段】
本発明の目的を実現するために、本発明は、窓枠（または門枠）母材及びレール蓋に固定部を各々形成し前記レール蓋を前記窓枠（または門枠）母材に付着し、前記レール蓋によって隠蔽されるレールを前記窓枠（または門枠）母材の上部に形成される陥没部の入口内側に形成し、表面材及び前記レール蓋の入口隣接位置に弾力的なガスケットを設置して前記陥没部の入口を選択的に開閉する窓枠（または門枠）下部材と;その下部に支持部を設けて下部を補強し、前記下部が一側に延長されて形成される延長部にローラー溝が形成されるローラー支持材を一体に装着し、前記ローラー溝にローラー装置を設置することによって、前記ローラー支持材が前記窓枠（または門枠）下部材の前記陥没部の入口を通じて挿入される場合、前記ローラー装置が前記レールに滑走可能に結合される窓（または門）下部材を含み、前記ローラー支持材の前記ローラー溝に切断部を形成して前記切断部に蓋支えローラーを装着し、前記切断部以外の部分には前記ローラー装置を装着したレール隠蔽形窓戸装置を提供する。
【０００９】
【発明の実施の形態】
以下、添付した図面を参照して本発明の好ましい一実施例によるレール隠蔽形窓戸装置をさらに詳細に説明する。
【００１０】
図３は、本発明を適用した窓戸の正面図であって、その構造を説明するために矢印“Ｂ-Ｂ”線による断面図を図４で示す。
【００１１】
また、図５（ａ）は図４の構成要素を分解した構造を示しており、図５（ｂ）は、図３に示された窓枠下部材及び窓下部材の結合状態を拡大して示す拡大断面図である。そして、図６は、窓下部材に蓋支えローラーとローラー装置を設置する構造を示す。
【００１２】
図示されているように、窓戸装置は、窓枠下部材３と窓枠下部材３との上面に滑走可能に装着される窓下部材４で構成される。
【００１３】
前記窓枠下部材３は大きく窓枠母材３１とレール蓋３２、３３を含み、窓枠母材３１とレール蓋３２、３３は各々形成された固定部３４によって互いに一体に付着される。そして、窓枠母材３１の上部所定位置には二つの陥没部３６が各々形成され、前記陥没部３６の内底面にはレール３７が各々突出形成される。そして、前記陥没部３６の入口３５に形成されたガスケット溝には適切な弾力性を有するガスケット３９が取り付けられ、このガスケット３９は陥没部３６の入口３５と表面材３８との間に形成される空間を密閉する。
【００１４】
窓下部材４は効果的な窓ＥＩ支持のために支持部４１を設けることによってその下部４２を補強する。そして、前記下部４２は窓の内側方向に延長されて延長部４３が形成され、この延長部４３の端部にはローラー支持材４４が一体に装着される。このようなローラー支持材４４は“∩”字断面、つまり、所定の長さを有する一対の測板が互いに対向する形状を有することによって、一対の測板の間にローラー溝４５が形成される。
【００１５】
このローラー溝４５に蓋支えローラー４６を設置するために、ローラー支持材４４の一側端部を所定の長さ切断することによって切断部４７を形成する。また、ローラー支持材４４の各測板に蓋支えローラー４６及びローラー装置４８と符合するように、複数個、好ましくは３個の組立孔４９を形成する。
【００１６】
したがって、前記ローラー溝４５の切断部４７には蓋支えローラー４６を挿入し、切断されていない部分にはローラー装置４８を挿入する。
【００１７】
この状態で、固定ピン４ａをローラー支持材４４の一側組立孔４９を通じて各々挿入し、蓋支えローラー４６及びローラー装置４８の組立孔４ｂを各々貫通して、他側組立孔４９を通じて露出された固定ピン４ａの端部を固定クリップ４ｃで固定する。したがって、蓋支えローラー４６及びローラー装置４８はローラー支持部材４４に一体に装着される。
【００１８】
このような構造を有するローラー支持材４４は、窓下部材４が窓枠下部材３に滑走可能に結合される場合、窓枠下部材３のガスケット３９及び入口３５を通じて陥没部３６の内部に挿入されることによって、ローラー装置４８の内部に回転可能に装着されたローラーがレール３７に結合される。したがって、窓が窓枠に沿って滑走可能になる。
【００１９】
一方、窓枠下部材３と窓下部材４の間の気密性を維持するために、レール蓋３２、３３と、窓下部材４の下部４２及び支持部４１に防風部材３ｅを各々設置する。
【００２０】
そして、前記ガスケット３９は伸縮性があるため、窓下部材４の不在時にガスケット３９が原状復旧して入口３５を塞ぐようになりまた、窓下部材４が通過する場合には、延長部４３がガスケット３９を押さえて入口３５を設ける。図４は、延長部４３によってガスケット３９が押さえられて入口３５が設けられた状態であり、図５（ｂ）はガスケット３９が原状復旧して入口３５を塞いでいる状態を示す。
【００２１】
前記のように、レール蓋３２、３３は固定部３４によって窓枠母材３１の上部に付着されるが、用途によってレール蓋３２、３３にネジ支持材３ａを設けて、ネジ３ｂによってレール蓋３２、３３を窓枠母材３１に固定し、露出されたネジ溝３ｃはネジ溝栓３ｄで仕上げてレール蓋３２、３３を窓枠母材３１により堅固に付着させることができる。
【００２２】
また、本発明の好ましい他の実施例として、防虫窓レール３ｆを表面材３８の室外側に設けて防虫窓を設置することができる。
【００２３】
図７は本発明の好ましい他の実施例による固定窓が適用された窓戸の正面図であって、その構造を説明するために矢印“Ｃ−Ｃ”線による断面図を図８で示す。
【００２４】
示されているように、固定窓６を設置するために、窓枠下部材５は窓枠母材５１の表面材５２に所定の深さに固定窓溝５３を形成し、固定窓６を固定窓溝５３に挿入して固定部材６１で仕上げる。
【００２５】
【発明の効果】
このように、本発明の好ましい実施例によるレール隠蔽形窓戸装置は次のような長所がある。
【００２６】
第一に、レール蓋と窓枠母材に各々形成された固定部によって一体に付着されるので、窓下部材の離脱によるレール蓋の分離が防止され、用途によってはネジによる堅固な付着が可能であり、露出されたネジ溝をネジ溝栓で仕上げるので外形がさらに清潔になる。
【００２７】
第二に、弾力性を有するガスケットによって入口を塞ぐことにより、雨水がレールの内部に流入されるのを防止することができる。
【００２８】
第三に、レール蓋が衝撃によって下に曲がった場合は蓋支えローラーによって窓が円滑に開閉されることができると同時に、曲がったレール蓋は原状復旧できる。
【００２９】
第四に、窓下部材に支持部を設けて下部を補強することによって窓の支持方式を改善し、ローラー支持材を設けてローラー溝を構成し、ローラー装置を設置することによってローラー装置を堅固に設置することができる。
【００３０】
第五に、レール蓋と窓下部材の下部及び支持部に防風部材を設置して気密性を維持することにより、熱損失を最少化することができる。
【００３１】
第六に、防虫窓レールを表面材の室外側に設けて防虫窓を設置することができる。
【００３２】
第七に、窓戸にレール蓋、防風部材、防虫窓などを追加的に装着することにより、さらに高級化したレール隠蔽形窓戸装置を提供することができる。
【００３３】
以上、本発明の好ましい実施例について説明したが、本発明はこれに限定されるわけではなく、特許請求の範囲と発明の詳細な説明及び添付した図面の範囲内で多様に変形して実施するのが可能であり、これも本発明の範囲に属することは当然のことである。
【図面の簡単な説明】
【図１】  従来の技術が適用された窓戸の正面図である。
【図２】  図１の矢印“Ａ−Ａ”線による断面図である。
【図３】  本発明の好ましい一実施例による窓戸の正面図である。
【図４】  図３の矢印“Ｂ−Ｂ”線による断面図である
【図５】  （ａ）は、図４の分解図である。（ｂ）は、図３に示された窓枠下部材及び窓下部材の結合状態を拡大して示す拡大断面図である。
【図６】  蓋支えローラーとローラー装置が窓枠下部材に結合されるのを示す底面分解斜視図である。
【図７】  本発明の好ましい他の実施例による固定窓が適用された窓戸を示す正面図である。
【図８】  図７の矢印“Ｃ−Ｃ”線による断面図である。
【符号の説明】
３  窓枠下部材、３ａ  ネジ支持材、３ｂ  ネジ、３ｃ  ネジ溝、３ｄ  ネジ溝栓、３ｅ  防風部材、３ｆ  防虫窓レール、４  窓下部材、４ａ  固定ピン、４ｂ  組立孔、４ｃ  固定クリップ、６  固定窓、１１  外向斜線、１２  レール、１３  窓枠表面材、１４  蓋、１５  支持材、１６  ネジ、１７  母材、１９  窓側部材案内用入口、２２  ローラー、２３  延長部、２４  下部、３１  窓枠母材、３２、３３  レール蓋、３５  入口、３６  陥没部、３７  レール、３９  ガスケット、
４１  支持部、４２  下部、４３  延長部、４４  ローラー支持材、４６  蓋支えローラー、４７  切断部、４８  ローラー装置、４９  組立孔、５１  窓枠母材、５２  表面材、５３  固定窓溝  ６１  固定部材
【図１】
0004559006.tif 000002
【図２】
0004559006.tif 000003
【図３】
0004559006.tif 000004
【図４】
0004559006.tif 000005
【図５】
0004559006.tif 000006
【図６】
0004559006.tif 000007
【図７】
0004559006.tif 000008
【図８】
0004559006.tif 000009